(57)【要約】      （修正有）【課題】高機能、複雑化する加熱調理器の使い勝手を向上させる。【解決手段】食品を収容する前面に開口を有する加熱室２と、前記加熱室２に収容された食品を加熱する加熱源と、前記加熱室の前面開口を開閉自在に覆う扉３と、前記扉３に設けられ、前記加熱源の動作内容を設定する複数のキー及び／又はダイヤルからなる入力手段５と、設定内容や前記入力手段による入力内容及び加熱源の動作状態等を表示する複数の表示手段６，７とを有する操作部と、前記表示手段６，７の表示駆動を制御する表示手段駆動制御手段と、前記入力手段の入力設定に基づいて前記加熱源の動作を制御する制御手段とを備え、前記複数の表示手段６，７は単一の表示手段駆動制御手段に接続され、駆動されるように加熱調理器を構成する。【選択図】図１
2011080757.tif 000002
【特許請求の範囲】
【請求項１】
食品を収容する前面に開口を有する加熱室と、
前記加熱室に収容された食品を加熱する加熱源と、
前記加熱室の前面開口を開閉自在に覆う扉と、
前記扉に設けられ、前記加熱源の動作内容を設定する複数のキー及び／又はダイヤルからなる入力手段と、設定内容や前記入力手段による入力内容及び加熱源の動作状態等を表示する複数の表示手段とを有する操作部と、
前記表示手段の表示駆動を制御する表示手段駆動制御手段と、
前記入力手段の入力設定に基づいて前記加熱源の動作を制御する制御手段とを備え、
前記複数の表示手段は単一の表示手段駆動制御手段に接続され、駆動されることを特徴とする加熱調理器。
【請求項２】
前記複数の表示手段は二つであり、前記表示駆動制御手段は二つの表示手段をデータ通信制御により駆動制御するように構成したことを特徴とする請求項１に記載の加熱調理器。
【請求項３】
前記複数の表示手段は二つであり、前記表示駆動制御手段は二つの表示手段の一方をデータ通信制御により駆動制御し、他方を直接駆動制御するように構成したことを特徴とする請求項１に記載の加熱調理器。
【請求項４】
前記複数の表示手段は二つであり、前記表示駆動制御手段は二つの表示手段双方をマイコンで直接駆動制御するように構成し、コモン出力を前記二つの表示手段それぞれに接続し、共通化したことを特徴とする請求項１に記載の加熱調理器。
【請求項５】
前記二つの表示手段のうち、一方を前記入力手段により入力された入力設定情報を主として表示するメイン表示手段として操作部の略中央に配置し、
他方を、入力設定操作の操作方法を主として表示するサブ表示手段として構成し、前記メイン表示手段よりも前記扉の隅の部位に配置し、メイン表示手段をサブ表示手段と同じか、サブ表示手段よりも大きい構成したことを特徴とする請求項２乃至４のいずれかに記載の加熱調理器。
【請求項６】
前記メイン表示手段をキャラクタ表示ＬＣＤのカラーＬＣＤで、サブ表示手段をフルドットＬＣＤで構成したことを特徴とする請求項５に記載の加熱調理器。
【請求項７】
前記複数の表示手段にうち、入力が必要な設定項目が表示される表示手段と、前記表示された設定項目を入力するのに使用される入力手段のキー及び／又はダイヤルを、各々近傍に配置したことを特徴とする請求項１乃至６のいずれかに記載の加熱調理器。
【請求項８】
前記入力手段の複数のキー及び／又はダイヤルが、調理を行うために必要な加熱源の動作内容を設定する入力順序に従って配置されていることを特徴とする請求項１乃至７のいずれかに記載の加熱調理器。
【請求項９】
前記入力手段の複数のキー及び／又はダイヤルが、調理を行うために必要な加熱源の動作内容を設定する入力順序に従って左から右に横方向に配置されていることを特徴とする請求項８に記載の加熱調理器。
【発明の詳細な説明】
【技術分野】
【０００１】
本発明は、マイコンを用いた加熱調理器の表示部と操作部に関するものである。
【背景技術】
【０００２】
従来の加熱調理器は、食品を加熱する加熱室の前面略全体にドアを設け、ドアに操作部と単一の表示部を備え、調理器の動作状態や、操作部により設定された設定情報を表示していた（特許文献１参照）。また、ドアの上部あるいは下部に操作部と表示部を配置しているものもあった（特許文献２、３参照）。また、ＩＨクッキングヒーターでは、複数の加熱源各々に対し、独立した操作部と表示部を設け、それぞれ独立したマイコンで表示を駆動しているものなどもあった（特許文献４参照）。
【０００３】
【特許文献１】特開２００７−００３１２０号公報。
【特許文献２】特開２００６−２６６５２５号公報。
【特許文献３】特開２００２−３４９８７１号公報。
【特許文献４】特開平３−２４１２３４号公報。
【発明の開示】
【発明が解決しようとする課題】
【０００４】
しかしながら、従来の加熱調理器においては、使い勝手を良くする為に、加熱室内の食品の加熱状態を確認できるようにドアに設けられた透視窓を出来る限り大きく構成する必要がある為、操作部はうすく横長にし、出来るだけ小さく構成しなければならなった。この為、操作部内に設けられた表示部も、操作部と同様に高さがなく、うすく横長の形状の狭い表示部の中で、見易い表示を構成することが難しかった。すなわち、表示画素が横長に点在して表示されるため、表示の近傍に操作部を構成することができず、その結果、操作に煩雑さが生じてしまっていた。また、フルドットＬＣＤを使用して、一度に表示する情報量を増やそうとしても、表示する文字を小さく構成しなければならず、使い勝手を向上させることができなかった。
【０００５】
また、表示デバイスを複数設けようとした場合には、表示デバイスを制御するマイコンを表示デバイスの数だけ実装する必要があり、実装スペースが狭いために、搭載が非常に困難であった。また、どうにか実装スペースを確保できたとしても、複数の加熱部と操作部、表示部をもつクッキングヒーターとは異なり、単一の加熱室をひとつの操作部で操作するオーブンレンジなどの加熱調理器においては、表示デバイス個々に別々のマイコンが制御を行うと、マイコンに割り込み処理が生じた場合に、表示の点消灯に時間差が生じてしまい、使用者が不自然な動きに感じてしまうという問題点があった。
【０００６】
また、オーブンレンジにおいては、デザイン的に、キー等が極力少ないシンプルな操作部のデザインが好まれる一方で、レンジ機能、オーブン機能に加え、スチーム機能を付加したものが主流となりつつあり、従来よりも高機能化、複雑化しており、複雑化する機能の操作を、シンプルな操作部で使用者にわかり易く構成し、使い勝手を良くしなければならないという大きな課題があった。
【０００７】
本発明は、上記のような課題を解決する為になされたものであり、高機能、複雑化する加熱調理器の使い勝手を向上させることを目的とする。
【課題を解決するための手段】
【０００８】
食品を収容する前面に開口を有する加熱室と、前記加熱室に収容された食品を加熱する加熱源と、前記加熱室の前面開口を開閉自在に覆う扉と、前記扉に設けられ、前記加熱源の動作内容を設定する複数のキー及び／又はダイヤルからなる入力手段と、設定内容や前記入力手段による入力内容及び加熱源の動作状態等を表示する複数の表示手段とを有する操作部と、前記表示手段の表示駆動を制御する表示手段駆動制御手段と、前記入力手段の入力設定に基づいて前記加熱源の動作を制御する制御手段とを備え、前記複数の表示手段は単一の表示手段駆動制御手段に接続され、駆動されることを特徴とするものである。
【発明の効果】
【０００９】
本発明の加熱調理器によれば、加熱調理器の使い勝手を向上することが可能となる。
【発明を実施するための最良の形態】
【００１０】
実施の形態１．
図１は本発明の実施の形態１を示すオーブンレンジの斜視図である。図１において、オーブンレンジ１内に形成されたほぼ箱状の加熱室２は、前面側に開口部を有しており、その開口部には、開閉自在に取り付けられ、閉塞時に加熱室２の前面壁を構成するドア３が設けられている。また、ドア３の下方には操作部４が設けられ、加熱室２内に収納した食品の加熱条件を設定する入力手段５と、ドア３の下方略中央部にメイン表示手段６、ドア３の下方右側にサブ表示手段７が配置されている。なお、入力手段５は、ドア３の下方左側にモード選択キー５ａ〜５ｄが、メイン表示部６の近傍には、押下されることで決定キーとして作用し、回動させるとダイヤルとして作用する決定キー５ｅを内蔵した左ダイヤル５ｈが、また、サブ表示部７の近傍には、押下されることでスタートキーとして作用し、回動させるとダイヤルとして作用するスタートキー５ｆを内蔵した右ダイヤル５iと、とりけしキー５ｇがそれぞれ配置されている。また、左ダイヤル５ｈの近傍には、左ダイヤル５ｈや決定キー５ｅの操作が必要なときに、点灯あるいは点滅し操作を促す左パイロットサイン１６ａが、同様に右ダイヤル５ｉの近傍には、右ダイヤル５ｉやスタートキー５ｆの操作が必要なときに、点灯あるいは点滅し操作を促す右パイロットサイン１６ｂが設けられている。なお、左ダイヤル５ｈは、使用者がメイン表示部６を見ながら設定操作を行う際に主として使用し、右ダイヤル５iは、使用者がサブ表示部７を見ながら設定操作を行う際に主として使用するように構成されている。また、各パイロットサイン１６ａ、１６ｂは、表示手段の表示色と同色の点灯表示ができるように、３色ＬＥＤ（赤、青、緑）で構成されており、この３色の光を組み合わせて点灯制御することで、様々な点灯色を実現できるように構成されている。
【００１１】
図２は同オーブンレンジの制御ブロック図である。図２において、操作基板４ａは、ドア３内に設けられて操作部４を構成している。操作基板４ａは、レンジキー５ａ、オーブンキー５ｂ、スチームキー５ｃ、オートメニューキー５ｄといったモード選択キーと、各種設定を決定する決定キー５ｅ、調理をスタートするスタートキー５ｆ、調理動作や設定を取り消すとりけしキー５ｇ、加熱温度や時間を選択する左ダイヤル５ｈと、オートメニューを選択する右ダイヤル５ｉからなる入力手段５と、メイン表示手段６、サブ表示手段７、操作補助のために点灯される左パイロットサイン１６ａ、右パイロットサイン１６ｂからなる入力補助表示手段１６と、これらを制御する表示マイコン８とで構成されている。モード選択キーは、識別しやすいように、レンジキーは黄色、オーブンキーは赤、スチームキーは青、オートメニューキーは緑色にて、キーの色が構成されている。
【００１２】
表示マイコン８は、通信ポート８ａ、８ｂ、８ｃを有し、入力手段５で入力された情報を後述する制御基板９上の制御マイコン１０へ通信ポート８ａを介して送信するとともに、表示データを通信ポート８ｂを介してメイン表示手段６上のＬＣＤドライバ６ａへと送信し、メイン表示手段６の表示制御を行っている。通信ポートで行う通信の方式としては、シリアルデータ通信やバス通信などがある。また同時に、表示データを通信ポート８ｃを介してサブ表示手段７上のＬＣＤドライバ７ａへと送信し、サブ表示手段７の表示制御を行っている。ここで本実施形態では、メイン表示手段６は、表示文字色を変化させて表示できるカラーＬＣＤ、サブ表示手段７は、フルドットＬＣＤで構成されている。
【００１３】
制御基板９は、調理終了などを使用者に報知音で知らせるブザーなどの報知手段１１と、ドア３の開閉状態を検知するドア開閉検知手段１２と、加熱室２内に収納された食品を高周波加熱するマグネトロン（図示せず）を駆動制御する高周波加熱手段１３と、加熱室２の天井部や底面に設けられ、加熱室２内に収納された食品を加熱するヒーター（図示せず）を駆動制御するヒーター加熱手段１４と、加熱室２内の温度を検知する庫内温度検知手段１５と、これらを制御する制御マイコン１０とで構成される。制御マイコン１０は、表示マイコン８と同様に、通信ポート１０ａを備えており、表示マイコン８から受信した入力情報と、ドア開閉検知手段１２の情報と、庫内温度検知手段１５の情報に基づいて、報知手段１１及び各加熱制御手段１３、１４を駆動制御し、加熱制御を行っている。
【００１４】
次に、この本実施形態の手動調理時の設定動作について、図３から図５のフローチャートを用いて説明する。図３から図５は同オーブンレンジの手動調理時の動作を示すフローチャートであり、図３のＡと図４のＡ、図４のＢと図５のＢはそれぞれフローに従い連結しているものである。ここでは、オーブンキー５ｂが選択され、設定温度２００℃、調理時間３０分が設定された場合を例に挙げて説明する。入力手段５のオーブンキー５ｂを受け付けると（Ｓ１）、表示マイコン８は、通信ポート８ｂから、メイン表示手段６上のＬＣＤドライバ６ａに表示データを送信し、メイン表示手段６に「オーブン」をキーの色と同じ赤色で、「０秒」を黒色で点灯表示するとともに、「設定温度    ℃」を赤色で点滅表示させる。また、同時に、通信ポート８ｃから、サブ表示手段７上のＬＣＤドライバ６ａに表示データを送信し、サブ表示手段７に「左ダイヤルで設定温度を選択してください」を点滅表示させる。また、左パイロットサイン１６ａを赤色で点滅表示させる（Ｓ２）。
【００１５】
前述のようにオーブンキー５ｂは赤色にて構成されており、このようにメイン表示手段６で表示される「オーブン」と言うメニュー表示が赤色表示されるので、使用者は現在自分が設定しているメニューがオーブンキーに関わる設定条件であることが自然と理解でき、自分が押したメニューと一致したメニューが受け付けられているかが容易に確認できるようになっている。
【００１６】
次に、表示マイコン８は、入力手段５の左ダイヤル５ｈが操作されたかを判断する（Ｓ３）。使用者が前述の表示手順によって左ダイヤル５ｈの操作を検出するまで待機し、左ダイヤル５ｈの操作を検出した場合、ステップＳ４に進む。このような表示手順に従い使用者が迷うことのないよう使用者が所望する設定温度「２００℃」を左ダイヤル５ｈにて設定することができるようにサポート表示が為される。
【００１７】
なお、サブ表示手段７で表示する前述の表示のような操作ガイドは、メイン表示手段６の表示と同時でもよいし、使用者が操作に迷ったときに表示されるように、一定時間（例えば５秒）経過後に表示するようにしてもよい。一定時間経過後に表示する場合ではステップＳ４にて「無」が帰ってくる信号が所定の回数あった場合や、Ｓ２の処理開始と共にタイマーを動作させ「無」のまま表示するまでの時間が経過した場合に表示させる。
【００１８】
このように、サブ表示手段７で操作ガイドを表示する場合、メイン表示手段６の表示と同時であれば、メイン表示手段６に現在設定すべき情報が、サブ表示手段７に操作方法が常にガイド表示されるため、使用者が設定方法に迷ったときでもサブ表示手段７を見ながら設定を行うことができ、普段しまいこんでしまっている取扱説明書などを探し出す手間や、取扱説明書を読み返す手間、取扱説明書を持ちながら操作する手間等をかけずに済む。そして、常にサブ表示手段７に操作ガイドが表示されることで、普段使い慣れ設定操作方法を知っているメニューを設定する操作時においても、使用者に対しても普段からガイドが表示されることをアピールできるため、普段あまり使わないメニュー設定操作手順で迷ったときにはサブ表示手段７を見ると良いことが使用者に認識されやすい。
【００１９】
また逆に、使用者によっては、サブ表示手段７に常にガイド表示がされると、煩わしく感じたり、知っている操作は表示して欲しくないと感じたりする使用者もいる。このような場合は、使用者が操作に迷ったときに表示されるように、一定時間（例えば５秒）経過するまでに何の操作信号も入ってこない場合に表示するようにしておくことで、操作のたびにいちいちガイドが表示されることの煩わしさを解消したり、知っている操作の表示を普段感じずに操作を行ったりすることができるものとなる。特に、普段ガイドが表示されない分、改めて表示されるとより使用者の注意を引くことができると言うメリットもある。
【００２０】
なお、予めこのような表示方法を設定する設定モードを設け、ガイド表示のタイミングを使用者の好みによって設定できるようにしてもよい。このような設定モードでは、「表示手段６の表示と同時に常に表示」、「表示手段６の表示から一定時間操作が無かったときに表示」、「ガイドを表示しない」と言ったメニューから選択されるようにしておくことで、より使用者の目的とする使用感に合わせることができるようになる。
【００２１】
また、上述の設定において「表示手段６の表示から一定時間操作が無かったときに表示」が選ばれた際には、さらに何秒後に表示するかを使用者自身で選択できるようにしてもよい。このように構成することでさらに使用者の目的とする使用感に合わせて自由に設定することができるようになる。なお、どの程度の時間が経過したときに表示するかのデフォルトの時間を決定しておく場合や、予め決められた時間のみで使用者が選択できない場合などでは、表示手段６の表示から３〜２０秒の間、特に５〜１５秒以下の間であることが望ましい。５秒より短いと使用者は表示手段６の表示とガイドが同時に表示されるのとほとんど変わらない印象を受けやすくなるためである。また３秒より短い場合、本来同時に表示されるべきものが同時に表示されずにタイムラグがあるような印象を与えてことなども想定されるためである。逆に１５秒を越えるとガイド表示が表示されないものと勘違いされてしまいやすくなり、２０秒より長い場合、取扱説明書などを探すために調理器の前を離れてしまいせっかく表示されたガイドが役に立ち難くなるためである。
【００２２】
このような設定は、初期設定時にできるように構成してもよいし、設定を変更したいときに逐次設定モードを起動させ、使用者が設定を変更したいと望むときに随時変更できるようにして最寄。
【００２３】
続いて、左ダイヤル５ｈの操作を受け付けると、表示マイコン８は、先ほどと同様の手段で、メイン表示手段６に「オーブン」を赤色、「０秒」を黒色で点灯表示するとともに、選択された「設定温度２００℃」を赤色で点滅表示させ、サブ表示手段７に「決定キーを押して、設定温度を決定してください」を点滅表示するとともに、左パイロットサインを緑色で点滅させる（Ｓ４）。
【００２４】
ここで、ステップＳ２ではメイン表示手段６に表示された設定温度の表示が赤色であったため、左パイロットサイン１６ａも赤色で点滅表示させていた。しかし、ステップＳ４では既にＳ３で左ダイヤル５ｈが操作されて設定温度が入力されている。左ダイヤル５ｈは決定キー５ｅと同じ位置に設けられているため、このようにパイロットサイン１６ａを、入力手段５が操作される前はメイン表示手段６に表示された設定項目と同じ色で表示することで、どの入力手段５を操作すればよいのかがガイドされ、一度入力がされた後に、同一位置に配置された入力手段５で異なる操作方法が必要な際に、色を変化させてパイロットサイン１６ａを表示させることで、今までと異なる操作が必要であることが使用者に容易に理解させることができる。なお、このように同一位置に配置された入力手段５で異なる操作方法が必要な際に、表示させるパイロットランプの色は、メイン表示手段６に表示された色と異なるのに加え、他の表示設定項目でもメイン表示手段６で使用されない色となるようにすることが使用者の混乱を防止することができるため好ましい。
【００２５】
ステップＳ５で、表示マイコン８が決定キー５ｅの入力を受け付けると、メイン表示手段６に「オーブン」を赤色、「設定温度２００℃」を黒色で点灯表示するとともに、「０秒」を青色で点滅表示させ、サブ表示手段７に「左ダイヤルで、調理時間を選択してください」を点滅表示させるとともに、左パイロットサイン１６ａを青色で点滅表示させる（Ｓ６）。続いて、表示マイコン８は、入力手段５の左ダイヤル５ｈが操作されたかを判断する（Ｓ７）。左ダイヤル５ｈの操作を検出するまで待機し、左ダイヤル５ｈの操作を検出した場合、図４のステップＳ８に進む。左ダイヤル５ｈの操作を受け付けると、表示マイコン８は、メイン表示手段６に「オーブン」を赤色、「設定温度２００℃」を黒色で点灯表示するとともに、選択された「３０分」を青色で点滅表示させ、サブ表示手段７に「決定キーを押して、設定温度を決定してください」を点滅表示させるとともに、左パイロットサイン１６ａを緑色で点滅表示させる（Ｓ８）。
【００２６】
ステップＳ９で、表示マイコン８が決定キー５ｅの入力を受け付けると、メイン表示手段６に「オーブン」を赤色、「設定温度２００℃」、「３０分」を黒色で点灯表示するとともに、サブ表示手段７に「スタートキーを押して、調理を開始してください」を点滅表示させるとともに、右パイロットサイン１６ｂを赤色で点滅表示させる（Ｓ１０）。次いで、表示マイコン８がスタートキー５ｆの入力を受け付けると（Ｓ１１）、表示マイコンは、設定された調理情報、すなわちオーブン、設定温度２００℃、調理時間３０分を制御マイコン１０に通信ポート８ａから送信する（Ｓ１２）。設定情報を受信した制御マイコン１０は、オーブン２００℃設定、調理時間３０分の調理をスタートさせる（Ｓ１３）。調理をスタートさせると、ヒーター加熱手段１４を駆動し、加熱室２の内部を加熱し、調理時間をカウントダウンしながら調理を開始する（Ｓ１４）。
【００２７】
調理を開始すると、図５のステップＳ１５の処理が開始され、制御マイコン１０は庫内温度検知手段１５を用いて、加熱室２内が２００℃以上か否かを判断する。加熱室２内の温度が２００℃未満の場合は、ヒーター加熱手段１４をＯＮさせるとともに、メイン表示手段６に「高温注意」表示を黄色で点灯させる（Ｓ１６）、逆に２００℃以上であった場合、ヒーター加熱手段１４をＯＦＦするとともにメイン表示手段６に「高温注意」表示を赤色で点灯させ（Ｓ１７）、加熱室２内を２００℃になるように制御する。「高温注意」は、オーブン調理の時など、加熱室２が高温になる場合に、注意喚起のために表示しており、予め定めた閾値（本実施形態では、２００℃）以上のときに、表示色を変化させることで、さらに強い注意喚起を促すことが可能である。なお、本実施形態では庫内温度に基づいて注意喚起表示を行っているが、ドア温度などを計測し、ドアが所定の温度（例えば使用者が熱いと感じる７０℃以上のとき）を閾値として表示するようにしてもよい。このようにすれば、実際に使用者が調理をするときに触れるドアなどの温度により注意喚起が行えるため、より使用者に対する注意喚起の正確性が向上できる。
【００２８】
次に、残時間が５分以下であるかを判断し（Ｓ１８）、５分より大きければ、メイン表示手段６に表示している残時間表示を黒色のまま表示する（Ｓ１９）。一方、残時間が５分以下の場合は、メイン表示手段６に表示している残時間表示を赤色で表示する（Ｓ２０）。残時間のカウントを１秒マイナスし（Ｓ２１）、残時間が０であるかを判断する（Ｓ２２）。残時間が０でない場合は、ステップＳ１５に戻って加熱を継続する。一方、ステップＳ２２で残時間が０であった場合には、ヒーター加熱手段１４をＯＦＦするとともに報知手段１１を駆動して、報知音で使用者に調理終了を知らせ（Ｓ２３）、調理を終了する（Ｓ２４）。
【００２９】
なお、ステップＳ２とＳ３において説明した、サブ表示手段７で表示する操作ガイドは、Ｓ４とＳ５、Ｓ６とＳ７、Ｓ８とＳ９、及びＳ１１とＳ１２においても同様にメイン表示手段６の表示と同時でもよいし、使用者が操作に迷ったときに表示されるように、一定時間（例えば５秒）経過後に表示するようにしてもよく、これらは前述のＳ２とＳ３にて詳細に説明した内容と同様の構成とすることが可能で同様の効果を奏するものとできる。
【００３０】
次に、この本実施形態のオートメニュー調理時の設定動作について、図６のフローチャートを用いて説明する。本実施形態におけるオートメニューとは、メニュー番号１から順番に、１：ゆでもの、２：照り焼き、３：煮豆、・・・等の各調理メニューに応じた調理プログラムが予め記憶されているものであり、その番号に設定された希望の調理メニューを使用者が選択することで、使用者が細かい設定入力をしなくても希望したメニューの調理が可能なものであり、ここでは、複数あるオートメニューの中で、メニュー番号８に割り当てられた茶碗蒸しが選択された場合を例に挙げて説明する。
【００３１】
図６は同オーブンレンジのオートメニュー調理時の設定動作を示すフローチャートである。入力手段５のオートメニューキー５ｄを受け付けると（Ｓ５１）、表示マイコン８は、手動調理の時と同様に、通信ポート８ｂから、メイン表示手段６上のＬＣＤドライバ６ａに表示データを送信し、メイン表示手段６に「オートメニュー」を緑色で点灯表示するとともに、デフォルト設定の「メニュー番号  １」を緑色で点滅表示させ、さらに、右パイロットサイン１６ｂを緑色で点滅表示させる。また、同時に、通信ポート８ｃから、サブ表示手段７上のＬＣＤドライバ６ａに表示データを送信し、サブ表示手段７に「右ダイヤルで調理メニューを選択してください」を点滅表示するとともに、「１．ゆでもの」を点灯表示させる（Ｓ５２）。次に、表示マイコン８は、入力手段５の右ダイヤル５iの操作を受け付けると（Ｓ５３）、メイン表示手段６に「オートメニュー」を緑色で点灯表示するとともに、右ダイヤル５ｉが回されるごとに現在選択されているメニュー番号と、その番号に対応する調理メニューを表示させていき、今回調理を希望する茶碗蒸しのメニューであるメニュー番号が選択されたところで右ダイヤル５ｉの回転を止めると、選択された「メニュー番号  ８」を緑色で点滅表示させる。同時に、サブ表示手段７に「右ダイヤルで調理メニューを選択してください」、「８．茶碗蒸し」を点灯表示させるとともに、「選択したら決定キーを押してください」を点滅表示させ、左パイロットサイン１６ａを赤色で点滅表示させる（Ｓ５４）。
【００３２】
次に、表示マイコン８が決定キー５ｅの入力を受け付けると（Ｓ５５）、メイン表示手段６に「オートメニュー」を緑色、「メニュー番号  ８」を黒色で点灯表示するとともに、サブ表示手段７に「８．茶碗蒸し」を点灯、「スタートキーを押して、調理を開始してください」を点滅表示させるとともに、右パイロットサイン１６ｂを赤色で点滅表示させる（Ｓ５６）。次いで、表示マイコン８がスタートキー５ｆの入力を受け付けると（Ｓ５７）、表示マイコンは、設定された調理情報、すなわちオートメニュー８．茶碗蒸しを制御マイコン１０に通信ポート８ａから送信する（Ｓ５８）。設定情報を受信した制御マイコン１０は、あらかじめ設定されＲＯＭに格納されている茶碗蒸し制御に従って、高周波加熱手段１３、ヒーター加熱手段１４を駆動し、加熱調理を行うのである（Ｓ５９）。
【００３３】
なお、調理開始後の動作については、前記手動オーブンで説明したステップＳ１４以降の動作と同様、またはメニューに合わせてヒーター加熱手段の代わりに高周波加熱手段を動作させる、あるいはこれらを組み合わせて動作させるのであり、ステップＳ１４以降の動作とほぼ同様であるので説明を省略する。
【００３４】
なお、ステップＳ５２とＳ５３、Ｓ５４とＳ５５、及びＳ５６とＳ５７においても前述のステップＳ２とＳ３において説明した、サブ表示手段７で表示する操作ガイドをメイン表示手段６の表示と同時でもよいし、使用者が操作に迷ったときに表示されるように、一定時間（例えば５秒）経過後に表示するようにしてもよく、オートメニューにおける設定においても前述のＳ２とＳ３にて詳細に説明した内容と同様の構成とすることが可能で同様の効果を奏するものとできる。
【００３５】
なお、本実施形態では、メイン表示手段６で表示する文字色は、予め設定されているものとして、説明を行ったが、使用者が好みにより、視認性のよい文字色に変更できる表示色変更モードを搭載し、加熱調理器本体に設定を記憶できるようにしてもよい。また、残時間表示についても同様に、予め設定した時間だけでなく、使用者が設定できるモードを設け、設定した残時間以下になった場合に表示色を変更するようにしてもよい。さらに、時間表示に限らず、オーブン調理の予熱時の加熱室温度や予熱残り時間などに適用することも出来る。このようなモードを搭載しておくことで、使用者の好みに応じたカラー表示が可能となると共に、特定の色が見づらいなどの方にも自分の見やすい色で表示することが可能となるので使い勝手が向上する。
【００３６】
また、本実施形態では、オーブン調理時の設定温度表示の際に、「設定温度    ℃」という表示を赤色で点滅するとしたが、これを「設定温度」、「℃」のみ赤色の点滅として、パイロットサインの色と同色にし、温度値の表示色を低温になるほど青から高温になるほど赤等と言うように段階的に変化させてもよい。即ち、一例を挙げれば、設定温度が１００℃から２５０℃の範囲で、１０℃刻みで設定可能なとき、設定温度１００〜１５０℃を黄色、１６０〜２００℃を橙色、２１０〜２５０℃を赤色といった具合に段階的に色分けをしてもよいし、１００℃で青、１８０℃で黄緑、２５０℃で赤となるように、青−青緑−緑−黄緑−黄−橙-赤という具合に順次青から自然に赤み帯びていくような色分けでもよい。このように、設定温度に応じて、表示色を変えることで、現在設定しようとしている温度が数値だけでなく色からも感覚的につかむことができるようになり、使い勝手を向上させることができ、特に視力の衰えたお年寄りや視力の弱い方などでも、色から設定温度を判断することができるようになる。また、オーブン時の設定温度に限らず、マイクロ波による加熱時の設定温度にも適用することができ、同様の効果を得ることができる。また、温度だけでなく、調理時間設定に、この考え方を用いてもよく、やはり時間の観点で加熱時間が長いほど高温となるイメージで前述と同様の効果を得ることが可能となる。
【００３７】
また、本実施形態では、表示マイコン、制御マイコンと用途の異なるふたつのマイコンを搭載した実施例を用いて説明したが、本実施例における表示マイコン８ひとつで、ふたつの表示手段を駆動するとともに、加熱手段の制御などすべての処理をおこなうようにしても良く、ひとつのマイコンをふたつの表示手段と接続し、駆動制御するという範囲において、適宜変更できる。
【００３８】
以上のように、本発明の実施の形態１によれば、ひとつの加熱室２に対して、複数の操作キー等からなる入力手段５を有するひとつの操作部４とを備える加熱調理器に対して、表示手段６、７であるＬＣＤを複数設け、複数のＬＣＤをひとつのマイコン８と接続し、通信制御により駆動制御する構成としたので、操作部４を構成する基板４ａ面積が狭い場合であっても実装ができ、また、マイコン８に割り込み処理があった場合でも、使用者に違和感を与える事のない加熱調理器を提供できる。そして、限られた操作部４の領域の中に複数のＬＣＤ６、７を分散配置することで、限られた領域内で表示手段に表示できる情報量を減少させること無く、様々な多くの情報を表示することが可能となる。
【００３９】
また、本実施形態ではふたつのＬＣＤ６、７を設け、メイン表示手段６をキャラクタ表示ＬＣＤのカラーＬＣＤ、サブ表示手段７をフルドットＬＣＤで構成することで、フルドットＬＣＤ表示を行う際に必要な表示データ量を最小限に抑え、マイコン８のＲＯＭ要領を低減することが出来、安価に構成することが出来るとともに、設定操作を行う際に主として使用するメイン表示手段６は、カラーＬＣＤとすることで、レンジ、オーブン、スチーム、オートメニューなどの複数ある調理モードのうち、どの調理モードの設定をしているかを一目で認識でき、使い勝手の良い加熱調理器を提供できる。
【００４０】
さらに、ふたつのＬＣＤ６、７を設け、一方を設定操作に使用するメイン表示手段６として、操作部４の略中央に配置し、他方のＬＣＤ７を、設定操作をガイダンスするサブ表示手段７としてメイン表示手段６よりも操作部４の隅、本実施形態では右側に配置し、かつその大きさをメイン表示手段６より小さいものとしたので、多くの情報表示するために、ひとつの表示手段だけであると表示画素を小さくするなどの対応が必要となるが、本実施形態では、設定する項目はメイン表示手段６、操作ガイドはサブ表示手段７とその役割を分けることにより、設定する項目の表示画素を小さくすること無く、また、設定内容と、操作ガイダンスが同一表示手段内にごちゃごちゃ表示されることを防止でき、使用者が初めて使用する場合であっても、見やすい表示を参照しながら操作することが出来る使い勝手の良い加熱調理器を提供できる。
【００４１】
さらに、メイン表示手段６の近傍に、主としてメイン表示手段６に表示された設定項目を設定する際に操作するダイヤル５ｈを、サブ表示手段７の近傍に主としてサブ表示手段７に表示されたオートメニューなどを設定する際に操作する操作キーやダイヤル５ｉを配置する構成とすることで、設定する際に使用する表示手段の近くの入力手段で操作が可能となり、使い勝手を向上することが出来る。
【００４２】
また、通常は設定を行う際、手順として最初に調理モードの選択、続いて温度や時間などを設定し、最後にスタートキーを入力するという手順になる。日本では右利きの方が多いため、このような操作を行う際、右手で行う人が多い。この点に注目し、本実施形態では、調理モードの設定手順で最も先に入力すべきキーである調理モードを選択するモードキー、本実施形態ではレンジキー５ａ〜オートメニュー５ｄを操作部４の左側に設け、続いて入力すべき時間や温度を選択する左ダイヤル５ｈ、左ダイヤル５ｈで選択した時間や温度を決定する決定キー５ｅ、オートメニュー５ｄが選択された際に、メニューを選択するための右ダイヤル５ｉ、全ての設定を決定し、調理をスタートするスタートキー５ｆと言うように、使用される順序を考慮してキーやダイヤルを配置したので、設定操作を行う際に左側か右側に流れるように操作していくことができ、使い勝手を向上することが出来る。特にこのように構成することで、入力設定操作が全て終了し、スタートキー５ｆを押すときには、操作部４が全体的に見渡せるように操作が進むようになり、最終確認を行いやすい状態でスタートキー５ｆを押すことができ、誤設定を防止しやすい。
【００４３】
なお、単純に使用される順序を考慮して入力手段５の配置順序を一方向に向かって配置するだけでも操作性の良さを得ることは可能である。しかし、上方向に向かって配置した場合、下方向に向かって配置した場合などの上下方向に配置した場合では、加熱調理器が設置される高さによって、その有用性が大きく左右されてしまうことがある。これに対し、左右方向は、このような高さによる有用性の増減を受けにくいと言う特徴がある。そして、前述のように、日本では右利きの方が多いことに着目した場合、入力手段５の配置順序を横方向に、且つ左から右の順序で配置することで、格段に使い勝手を向上することが可能となる。
【００４４】
また、メイン表示手段６で使用者が設定する項目類を表示し、かつ、各操作工程において、現在設定している項目のみ表示色を変えて表示するとともに、設定操作に使用するダイヤルや、キーのパイロットサインを表示色と同色で点灯あるいは点滅するようにしたので、設定している項目、及び設定に使用するダイヤル等を一目で確認でき、使い勝手を向上できる。
【００４５】
また、ダイヤルとキーを兼用した操作部において、ダイヤル操作が必要な際に点灯するパイロットサインの色と、キー操作が必要な際に点灯するパイロットサインの色を変えたので、複合機能を備えた操作部でも、表示色に従い操作することで操作方法が一目で確認でき、使い勝手を向上できる。
【００４６】
さらに、モード選択キー５ａ〜５ｄの背景色、もしくは文字色と、メイン表示手段６に表示するモード表示の色を同一色にする構成により、設定操作時に設定しているモードをメイン表示手段６の表示色で確認できるので、誤操作を防ぐことが出来、使い勝手を向上できる。
【００４７】
また、「高温注意」などの注意喚起表示を、予め複数の閾値を定め、段階的に表示色を変える構成とすることで、注意喚起のレベルを変えて注意を促すことが出来、安全で使い勝手の良い加熱調理器を提供できる。
【００４８】
また、設定温度に応じて、表示色を変えることで、数字の値だけではなく、感覚的に色として温度を捉えることができるので、誤設定を防止することが出来、使い勝手の良い加熱調理器を提供できる。
【００４９】
また、残時間、及び設定調理時間に応じて、表示色を変える構成とすれば、数字の値だけではなく、感覚的に色として時間を捉えることができるので、誤設定を防止することが出来るとともに、残時間を遠めで確認することが出来る使い勝手の良い加熱調理器を提供できる。
【００５０】
実施の形態２．
本発明における実施の形態２は、ふたつの表示手段のうち、一方をマイコンで直接駆動するように構成したものである。本発明における実施の形態２について、図７の制御ブロック図を用いて説明する。実施の形態２においては、メイン表示手段６のＬＣＤと表示マイコン８の接続、駆動方法が、実施の形態１と異なっている。その他の構成は、図２と同様であるので説明を省略する。また、動作についても、実施の形態１と同様のものとすることができるものであるので省略する。
【００５１】
図７において、表示マイコン８は、ＬＣＤコントローラー８ｄを備えており、メイン表示手段６は、このＬＣＤコントローラー８ｄに接続されている。具体的には、ＬＣＤコントローラー８ｄのコモン出力と、セグメント出力をメイン表示手段６に接続し、メイン表示手段６に前記出力から電圧を印加することで、適宜、画素を表示するのである。一方、サブ表示手段７については、実施の形態１と同様に表示マイコン８に備えられた通信ポート８ｂからデータをサブ表示手段７上のＬＣＤドライバ７ａに送信し、駆動制御している。
【００５２】
以上のように、本実施の形態２では、ふたつの表示手段に対して、一方は、マイコンのＬＣＤ出力で直接駆動し、他方は、通信制御で駆動するように構成したので、ふたつの表示手段それぞれを通信制御する為に必要な通信ポートがないマイコンであっても、ふたつの表示手段を備えた使い勝手の良い加熱調理器を提供することができる。なお、実施の形態１と同様に、本実施例における表示マイコンひとつで、ふたつの表示手段を駆動するとともに、加熱手段の制御などすべての処理をおこなうようにしても良い。ひとつのマイコンをふたつの表示手段と接続し、駆動制御するという範囲において、適宜変更できる。
【００５３】
実施の形態３．
本発明における実施の形態３は、ふたつの表示手段を、マイコンで直接駆動するように構成したものである。本発明における実施の形態３について、図８の制御ブロック図を用いて説明する。実施の形態３においては、メイン表示手段６、及びサブ表示手段７のＬＣＤと表示マイコン８の接続、駆動方法が、実施の形態１と異なっている。その他の構成は、図２と同様であるので説明を省略する。また、動作についても、実施の形態１と略同様であるので省略する。
【００５４】
図８において、表示マイコン８は、ＬＣＤコントローラー８ｄを備えている。一般に、８ビット等の加熱調理器に用いられるマイコンでは、ＬＣＤコントローラー８ｄは、４本のコモン出力と、４０本程度のセグメント出力を備えている。ここでは、コモン４本、セグメント４０本の出力を備えたマイコンを表示マイコン８として使用した場合を例に挙げて説明を行う。表示マイコン８のＬＣＤコントローラー８ｄのコモン出力４本は、メイン表示手段６と、サブ表示手段７に各々共通に途中で分岐され接続されている。また、セグメント出力のうち、１〜２０の２０本は、メイン表示手段６に接続し、２１〜４０の２０本はサブ表示手段７に接続されている。すなわち、メイン表示手段６、及びサブ表示手段７は各々８０画素（４コモン×２０セグメント）の表示を構成することができ、ひとつの表示マイコン８により、ふたつの表示手段に対し、様々な表示を行うことが可能となっている。
【００５５】
以上のように、本実施の形態３では、ふたつの表示手段をひとつのマイコンに直接接続し、表示内容の異なるふたつの表示手段でコモン出力を共有するように構成したので、通信ポートを備えていないマイコンでも、ふたつの表示手段を直接駆動させることが出来る。また、ふたつの表示手段を直接駆動するように構成したので、各表示手段にＬＣＤドライバを内蔵させる必要がなく、より安価にふたつの表示手段を備えた使い勝手の良い加熱調理器を提供することが出来る。なお、実施の形態１と同様に、本実施例における表示マイコンひとつで、ふたつの表示手段を駆動するとともに、加熱手段の制御などすべての処理をおこなうようにしても良い。ひとつのマイコンをふたつの表示手段と接続し、駆動制御するという範囲において、適宜変更できる。
【図面の簡単な説明】
【００５６】
【図１】本発明の実施の形態１の本体斜視図である。
【図２】本発明の実施の形態１の制御ブロック図である。
【図３】本発明の実施の形態１の手動調理時の動作を示すフローチャート図である。
【図４】本発明の実施の形態１の図３のＡより続く手動調理時の動作を示すフローチャート図である。
【図５】本発明の実施の形態１の図４のＢより続く手動調理時の動作を示すフローチャート図である。
【図６】本発明の実施の形態１のオートメニュー調理時の設定動作を示す              フローチャート図である。
【図７】本発明の実施の形態２の制御ブロック図である。
【図８】本発明の実施の形態３の制御ブロック図である。
【符号の説明】
【００５７】
１  調理器、  ２  加熱室、  ３  ドア、  ４  操作パネル、  ４ａ  操作基板、  ５  入力手段、  ５ａ  レンジキー、  ５ｂ  オーブンキー、  ５ｃ  スチームキー、  ５ｄ  オートメニューキー、  ５ｅ  決定キー、  ５ｆ  スタートキー、  ５ｇ  とりけしキー、  ５ｈ  左ダイヤル、  ５ｉ  右ダイヤル、６  メイン表示手段、  ６ａ  ＬＣＤドライバ、  ７  サブ表示手段、  ７ａ  ＬＣＤドライバ、  ８  表示マイコン、  ８ａ、８ｂ、８ｃ通信ポート、  ８ｄ  ＬＣＤコントローラー、  ９  制御基板、  １０  制御マイコン、  １０ａ  通信ポート、  １１  報知手段、  １２  ドア開閉検知手段、  １３  高周波加熱手段、  １４  ヒーター加熱手段、  １５  庫内温度検知手段、  入力補助表示手段１６、  １６ａ  左パイロットサイン、  １６ｂ  右パイロットサイン。
【図１】
2011080757.tif 000003
【図２】
2011080757.tif 000004
【図３】
2011080757.tif 000005
【図４】
2011080757.tif 000006
【図５】
2011080757.tif 000007
【図６】
2011080757.tif 000008
【図７】
2011080757.tif 000009
【図８】
2011080757.tif 000010